(57)【特許請求の範囲】
【請求項１】
磁気ヘッドユニットと、第１の弾性部材と、第２の弾性部材とを備え、
前記磁気ヘッドユニットは、磁気ヘッドコアにコイルを巻回した磁気ヘッドと、摺動部とを含み、前記摺動部がディスクに接触することによって、前記磁気ヘッドを前記ディスクから一定の距離に位置させることができ、
前記第１の弾性部材は、一端が固定部に接続され、他端が摺動部接続点において前記摺動部に接続され、弾性変形により前記磁気ヘッドユニットを上下動可能に支持し、
前記第２の弾性部材は、一端が押圧点において前記磁気ヘッドコアに対して接触して前記ディスクに押付ける向きに付勢し、
前記摺動部接続点と、前記押圧点とが、略摺動方向に並んでおり、
前記押圧点が、前記磁気ヘッドユニットの重心と前記摺動部接続点との間である、磁気ヘッド支持機構。
【請求項２】
一以上の補助摺動部を備え、前記摺動部と前記補助摺動部とが略摺動方向に並んでおり、前記磁気ヘッドユニットの重心が前記摺動部と前記補助摺動部との間にある、請求項１に記載の磁気ヘッド支持機構。
【請求項３】
磁気ヘッドユニットと、第１の弾性部材と、第２の弾性部材とを備え、
前記磁気ヘッドユニットは、磁気ヘッドコアにコイルを巻回した磁気ヘッドと、摺動部とを含み、前記摺動部がディスクに接触することによって、前記磁気ヘッドを前記ディスクから一定の距離に位置させることができ、
前記第１の弾性部材は、一端が固定部に接続され、他端が摺動部接続点において前記摺動部に接続され、弾性変形により前記磁気ヘッドユニットを上下動可能に支持し、
前記第２の弾性部材は、一端が押圧点において前記磁気ヘッドコアに対して接触して前記ディスクに押付ける向きに付勢し、
前記摺動部接続点と、前記押圧点とが、略摺動方向に並んでおり、
一以上の補助摺動部を備え、前記摺動部と前記補助摺動部とが略摺動方向に並んでおり、前記磁気ヘッドユニットの重心が前記摺動部と前記補助摺動部との間にあり、
前記押圧点が前記磁気ヘッドユニットの重心よりも前記補助摺動部側にある、磁気ヘッド支持機構。
【請求項４】
前記押圧点における前記第２の弾性部材の先端が曲面である、請求項１から３のいずれかに記載の磁気ヘッド支持機構。
【請求項５】
前記第２の弾性部材が非磁性材料からなる、請求項１から４のいずれかに記載の磁気ヘッド支持機構。
【請求項６】
前記第２の弾性部材が、銅、アルミニウムおよびカーボンからなる群から選択された一以上の材料を主成分とする、請求項５に記載の磁気ヘッド支持機構。
【請求項７】
前記磁気ヘッドのコイル中心が、前記摺動部の重心に比べて前記ディスクの外周側にずれている、請求項１から６のいずれかに記載の磁気ヘッド支持機構。
【発明の詳細な説明】
【０００１】
【発明の属する技術分野】
本発明は、光磁気記録媒体に対して接触摺動して光磁気記録を行なう光磁気記録用摺動型の磁気ヘッドの支持機構に関する。
【０００２】
【従来の技術】
光磁気ディスクおよび従来の磁気ヘッド支持機構について、図８〜図１０を参照して、以下説明する。
【０００３】
光磁気ディスクは書換え可能という利点を持つ大容量ディスクとして注目されており、近年特に磁界変調方式を用いたＭＤ（ミニディスク）の普及がめざましい。この光磁気ディスクの構成について図８を参照して説明する。
【０００４】
光磁気ディスク６０は、ＰＣ（ポリカーボネート）などからなる光磁気ディスク基板６１上に、ＡｌＮからなる保護膜６２を介して光磁気記録層６３が設けられる。この光磁気記録層６３上に、再びＡｌＮの保護膜６２とＡｌなどからなる反射膜６４を設け、さらに、この反射膜６４上に紫外線硬化樹脂からなる樹脂保護膜６５を形成したものとなっている。ＭＤの場合は、接触摺動型の磁気ヘッドを用いるため、さらに、樹脂保護膜６５上にシリコンオイルなどの潤滑性の高い潤滑膜６６を塗布している。
【０００５】
次に、図９を参照して、磁気ヘッド２０の構成について以下説明する。磁気ヘッド２０は、エナメルもしくは磁性メッキを施した線径φ４０μｍ〜φ８０μｍの導電性材料からなるコイル２１をボビン２２に巻回し、それを材質がＭｎＺｎフェライト（マンガンジンクフェライト）、ＮｉＺｎフェライト（ニッケルジンクフェライト）よりなる略Ｅ字型や断面Ｔ字型に成型された磁気ヘッドコア２３の中心磁極コアに取り付けて形成されるものである。
【０００６】
また、形成された磁気ヘッド２０は、図１０に示すように、光磁気ディスク６０に直接接触する部分である摺動部２６を有する磁気ヘッドスライダー部２５に一体に取り付けられ磁気ヘッドユニット２７を構成する。この磁気ヘッドスライダー部２５は低摩擦係数の材料から金型で形成され、その材料としてはポリアリレートやナイロン、ポリエステルなどの高分子材料のほかにセラミックなどが用いられる。また、別の方法として、磁気ヘッドスライダー部２５を別の材料で形成し、光磁気ディスク６０と接触する摺動部２６にテープ状の低摩擦係数の材料を用いてこれを磁気ヘッドスライダー部２５に貼ることによって同様の効果を得てもよい。
【０００７】
次に、図１１を参照して、磁界変調方式について説明する。前述した光磁気ディスク６０をはさんで、一方にはレーザ光を照射する光ピックアップ５０、他方には、レーザスポット位置に合わせて移動する前述した磁気ヘッドユニット２７の内部に設けられる磁気ヘッド２０を配置し、この磁気ヘッド２０の磁界発生方向を記録信号に合わせて反転させることにより、光磁気ディスク６０上に信号を記録していく。さらに、この磁気ヘッド２０と磁気ヘッドスライダー部２５は、ディスクの面振れ、ディスク上のゴミ、こぶなどに追従して移動可能とするために、通常厚さ３０〜１００μｍの薄金属からなる弾性部材２８により、３〜１０ｍＮの予圧がかけられて支持されている。また、この弾性部材２８の一端は固定部２９により固定支持されている。
【０００８】
そして、この固定部２９は、略コの字型の磁気ヘッドアーム３０により、光ピックアップ５０と連結して支持されている。
【０００９】
信号を記録するための発生磁界は、磁気ヘッド２０と光磁気ディスク６０との距離に大きく依存しており、その距離が離れるほど、光磁気ディスク６０上に所定の磁界を発生させるためには、磁気ヘッド２０により多くの電流を流す必要がある。そのため、磁気ヘッド２０と光磁気ディスク６０との間の距離は可能な限り近づける必要がある。
【００１０】
そこで、図１０に示すように、磁気ヘッド２０を内部に有している磁気ヘッドユニット２７には、摺動性の高い材料で設けられた摺動部２６とそれ以外の部分に通常２０〜１００μｍになるように段差ｈが設けられている。そして磁気ヘッド２０が、直接光磁気ディスク６０の潤滑膜６６と接触することを防ぎつつ、摺動部２６と潤滑膜６６とを接触させることで、複雑な機構を必要とせず、ディスクと磁気ヘッドとの距離を一定に保つことができる。これは接触摺動型磁気ヘッド（または、摺動型磁気ヘッド）と呼ばれ、現在一般的に多く用いられている。
【００１１】
従来の光磁気ディスクにおいては、以上の通り説明した接触摺動型の磁気ヘッド支持機構を用いて、光磁気記録を行っている。
【００１２】
【発明が解決しようとする課題】
図１０に示した従来の磁気ヘッドユニットを磁気ヘッド支持機構に採用した例を図１２に示す。なお、磁気ヘッド支持機構とは、磁気ヘッドユニット２７と、これを支持する弾性部材と、固定部とを含んだ機構をいうものとする。図１２では、磁気ヘッド支持機構のうち磁気ヘッドユニット２７の近傍のみを拡大して表示している。
【００１３】
図１３に示すように、磁気ヘッドユニット２７の摺動部２６がディスク上のゴミもしくはこぶなどの異物に衝突し、または乗り上げたときに、磁気ヘッドユニット２７が上下に振動し、磁気ヘッドユニット端部３３が光磁気ディスク６０と衝突して光磁気ディスク６０に損傷を与えたり、磁気ヘッドユニット２７が上に跳ね上げられることにより、磁気ヘッド２０と光磁気ディスク６０との距離が離れてしまい、光磁気ディスク６０の記録面上の磁界強度が低下する結果、良好な記録ができなくなるという問題がある。
【００１４】
この問題に対して、特許番号２８７８９１８号で提案された機構がある。同号特許では、図１４に示すように、摺動方向に垂直方向であって磁気ヘッド重心１２をはさむように複数の摺動部１１ａ，１１ｂを配置し、それぞれの摺動部上に第１および第２の弾性部材として板ばね１０ａ，１０ｂを配置するとともに、磁気ヘッド１３の直上にも第３の弾性部材として板ばね１０ｃを設けるという構成をとる例が挙げられている。同号特許によれば、このような構成にすることにより、磁気ヘッド部の重心１２を通るディスク面に垂直な直線を回転中心とする変位に対しては、摺動部に設けられた板ばね１０ａ，１０ｂ（第１および第２の弾性部材）により抑えることが可能となり、磁気ヘッド部の上下方向の動揺に対しては、磁気ヘッド１３の直上に配置した第３の弾性部材としての板ばね１０ｃにより抑えることができるという効果が挙げられている。図１４に示す構成であれば、摺動方向に対し垂直方向に並んで摺動部１１ａ，１１ｂが設けられているため、図１２に示した構造における場合のように、磁気ヘッドユニット端部がディスク面に衝突するほどに磁気ディスクヘッドが上下に振動することはない。
【００１５】
しかし、一般にディスクのエッジは盛り上がっているため、図１４に示すように、摺動方向に対し垂直方向に並んで摺動部１１ａ，１１ｂが設けられている横造では、ディスク最外周の記録を行う場合に、ディスク外周に位置する摺動部１１ａ，１１ｂがディスクエッジに乗り上げてしまい、磁気ヘッド１３とディスクとの接触が保たれず、記録を行えないという問題が生じる。
【００１６】
さらに、従来の磁気ヘッド支持機構においては、磁気ヘッド２０の記録周波数が上がるにつれて磁気ヘッドコイル２１及び磁気ヘッドコア２３の発熱が大きくなるが、磁気ヘッドコア２３と接している磁気ヘッドスライダー部２５に用いられている摺動特性の優れた材料は、一般的に熱伝導率が低く、磁気ヘッドコア２３の熱を効率良く逃がすことができない。その結果、磁気ヘッドコア２３の温度が上昇して透磁率が低下するために磁気ヘッド２０の発生磁界が低下するのみならず、磁気ヘッドコイル２１の表面被覆が焼損してしまい、磁気ヘッド２０が破損する恐れがあった。
【００１７】
一方、同号特許では、磁気ヘッドの直上に第３の弾性部材としての板ばねを配置してはいるものの、発熱低減という点についての説明は無く、また、磁気ヘッド部で最も発熱する磁気ヘッドコアに板ばねを配置しているという記載もない。
【００１８】
そこで、本発明では、磁気ヘッドコアのより効率良い放熱を可能にするとともに、ディスク面上のゴミやこぶなどの異物に磁気ヘッドユニットが衝突し、または乗り上げた際に発生する磁気ヘッドユニットの上下動や、外部からの衝撃にかかわらず、磁気ヘッドユニットの姿勢を安定に保つことができる磁気ヘッド支持機構を提供することを目的とする。
【００１９】
【課題を解決するための手段】
上記目的を達成するために、本発明に基づく磁気ヘッド支持機構においては、磁気ヘッドユニットと、第１の弾性部材と、第２の弾性部材とを備え、上記磁気ヘッドユニットは、磁気ヘッドコアにコイルを巻回した磁気ヘッドと、摺動部とを含み、上記摺動部がディスクに接触することによって、上記磁気ヘッドを上記ディスクから一定の距離に位置させることができ、上記第１の弾性部材は、一端が固定部に接続され、他端が摺動部接続点において上記摺動部に接続され、弾性変形により上記磁気ヘッドユニットを上下動可能に支持し、上記第２の弾性部材は、一端が押圧点において上記磁気ヘッドコアに対して接触して上記ディスクに押付ける向きに付勢する。
【００２０】
上記構成を採用することにより、磁気ヘッドユニットが異物に衝突した場合、第２の弾性部材によって下向きの荷重が作用するため、振動の振幅を小さくすることができる。また、第２の弾性部材が磁気ヘッドコアに接触しているので、第２の弾性部材として熱伝導率の高い材質を用いることで、磁気ヘッドコアからの放熱を効率良く行なうことができる。
【００２１】
また、上記発明において好ましくは、上記摺動部接続点と、上記押圧点とが、略摺動方向に並んでいる。
【００２２】
上記構成を採用することにより、押圧点における下向きの荷重が、異物衝突時の振動の振幅を低減するために効率良く作用することができる。
【００２３】
さらに、上記発明において好ましくは、上記押圧点が、上記磁気ヘッドユニットの重心と上記摺動部接続点との間である。
【００２４】
上記構成を採用することにより、通常の記録時に磁気ヘッドユニットの後端が下がることを回避できる。
【００２５】
上記発明において好ましくは、一以上の補助摺動部を備え、上記摺動部と上記補助摺動部とが略摺動方向に並んでおり、上記磁気ヘッドユニットの重心が上記摺動部と上記補助摺動部との間にある。
【００２６】
上記構成を採用することにより、磁気ヘッドユニットの端部がディスク面に衝突することを防止することができる。また、補助摺動部が存在することにより、第２の弾性部材による磁気ヘッドコアに対する押圧位置を磁気ヘッドユニット２７の重心位置よりも補助摺動部側にとることも可能となり、設計の自由度が増す。
【００２７】
上記発明において好ましくは、上記押圧点が上記磁気ヘッドユニットの重心よりも上記補助摺動部側にある。
【００２８】
上記構成を採用することにより、異物７０との衝突によって後端が跳ね上がるいわゆる飛び跳ね量を第２の弾性部材３１が抑制しようとするモーメントはより大きくなり、振動振幅をより効果的に低減することができる。
【００２９】
さらに上記発明において好ましくは、上記押圧点における上記第２の弾性部材の先端が曲面である。
【００３０】
上記構成を採用することにより、磁気ヘッドユニットがディスク面に対して柔軟に回転運動でき、ディスクのうねりや面ぶれなどに柔軟に追従することができる。
【００３１】
さらに上記発明において好ましくは、上記第２の弾性部材が非磁性材料からなる。
【００３２】
上記構成を採用することにより、第２の弾性部材が磁気ヘッドコアに直接接触しても磁気ヘッドの磁気特性に影響を与えないため、磁気ヘッドの設計が容易となる。
【００３３】
上記発明においてさらに好ましくは、上記第２の弾性部材が、銅、アルミニウムおよびカーボンからなる群から選択された一以上の材料を主成分とする。
【００３４】
上記構成を採用することにより、第２の弾性部材の材質は非磁性でありかつ熱伝導率の高い材質となるため、磁気ヘッドの磁気特性に影響を与えることなく、放熱を効率良く行なうことができる。
【００３５】
さらに上記発明において好ましくは、上記磁気ヘッドのコイル中心が、上記摺動部の重心に比べて上記ディスクの外周側にずれている。
【００３６】
上記構成を採用することにより、ディスクエッジが盛り上がっていても、その影響を受けず、磁気ヘッドはより外周側に至るまで、ディスク面との間の確実な距離を保つことができる。
【００３７】
【発明の実施の形態】
（実施の形態１）
（構成）
図１を参照して、本実施の形態における磁気ヘッド支持機構の構成について説明する。本実施の形態における磁気ヘッド支持機構においては、磁気ヘッド２０、磁気ヘッドスライダ部２５の各構成および両者の組合せ方については、従来技術に基づくものと同じである。
【００３８】
本実施の形態における磁気ヘッド支持機構においては、図１（ａ），（ｂ）に示すように、一部分が第１の弾性体２８を構成する金属部材の、他の一部分を磁気ヘッドユニット２７に向けて延在させ、折り曲げることによって第２の弾性体３１を形成し、図２に示すように第２の弾性体３１が磁気ヘッドコア２３の上に直接接触して荷重を加える構成となっている。第２の弾性体３１は、第１の弾性体２８と一体であるため、部品点数を増やすことなく、磁気ヘッドコア２３への荷重付与を実現することができる。一方、第１の弾性体２８は、摺動方向（図１（ａ），（ｂ）における左右方向）に沿って磁気ヘッドスライダー部２５を支持するように形成されている。
【００３９】
また、図１４に示す構成において問題となったディスクエッジの盛り上がりに起因する磁気ヘッドとディスク面との離間の問題を解決するために、磁気ヘッドユニット２７の中心線３５に対し、対称になるように磁気ヘッドコア２３を配置する一方、中心線３５からディスク内周側にオフセットした位置に摺動部２６が形成されている。これにより、磁気ヘッド２０に対し摺動部２６はオフセット分だけディスク内周側に位置することになるので、図１４の構造に比べて、磁気ヘッド２０はより外周側に至るまで、ディスクエッジの影響を受けず、磁気ヘッド２０とディスク面との間の確実な距離を保つことができる。
【００４０】
図１（ａ）に示すように、第２の弾性体３１は、上方から見て、磁気ヘッドユニット２７の中心線３５上であって磁気ヘッドスライダー部２５の重心となる位置を押圧しているので、オフセットした押圧位置を有する第１の弾性体２８と併せて、摺動方向垂直方向に回転するモーメントを抑えることができる。
【００４１】
この第１の弾性体２８、第２の弾性体３１は磁気ヘッドスライダー部２５に用いられている材質よりも熱伝導率の高い材質であり、かつばね性が良好である材質であるならば何でもよいが、例えばＢｅＣｕ（ベリリウム銅）やＳＵＳ３０４などが挙げられる。
【００４２】
なお、この第２の弾性部材３１の第１の弾性部材２８に対する取付け位置としては、第１の弾性部材２８の中でも剛性の高い部分、例えば、図１（ｂ）に示すように、第１の弾性部材２８を箱曲げ加工した部分３４に設けるのが望ましい。
【００４３】
（作用・効果）
（振動振幅の低減）
光磁気ディスク６０上に存在するゴミやこぶなどの異物７０が図２に示す磁気ヘッドユニット２７の摺動部２６に衝突し、または乗り上げた場合、図３に示すようにその衝撃で磁気ヘッドユニットの端部３３が上下に振動する。磁気ヘッドユニット２７が光磁気ディスク６０から離れる方向に振動する際には、第２の弾性部材３１による下向きの荷重が作用するため、生じる最大振動変位は低減される。その結果、振動の振幅は小さくなり、端部３３のディスク面への衝突を起こりにくくすることができ、距離が広がることによる磁界強度も軽減することができる。
【００４４】
なお、第２の弾性部材３１の磁気ヘッドコア２３に対する押圧位置としては、磁気ヘッドユニット２７の重心位置の直上ではなく、図３に示すように磁気ヘッドユニット２７の重心位置と摺動部２６との間に設けることとすれば、通常の記録時においても磁気ヘッドユニットの後端（固定部２９側）が下がることを回避できるため、望ましい。
【００４５】
（放熱効果）
また、本発明は、磁気ヘッドコア２３に記録電流が印可されることによる発熱に関しても、効果がある。本実施の形態における磁気ヘッド支持機構においては、磁気ヘッドコア２３に対して、磁気ヘッドスライダー部２５の材料と比較して熱伝導率の高い第２の弾性部材３１を直接接触させている。そのため、効率良く熱を第２の弾性部材３１に放熱することができる。その結果、磁気ヘッドコア２３の温度上昇を回避することが可能となる。
【００４６】
なお、磁気ヘッドコア２３の表面粗さは一般的に大きいことから、放熱効果を上げるためには、磁気ヘッドコア２３と第２の弾性部材３１との接触面を大きくするために磁気ヘッドコア２３表面にゲル状の熱伝導性シリコンを塗布することが効果的である。この観点からは、第２の弾性部材３１と磁気ヘッドコア２３との接触部分が面接触となるように、弾性部材３１の先端を形成することが望ましい。
【００４７】
一方、磁気ヘッドユニット２７がディスクのうねりや面ぶれなどに柔軟に追従するためには、ディスク面に対して柔軟に回転運動できる必要がある。そのためには、第２の弾性部材３１と磁気ヘッドコア２３の接触部分において、第２の弾性部材３１の先端を曲面とし、点もしくは線接触とすることが望ましい。
【００４８】
（第２の弾性部材の材質）
第２の弾性部材３１は磁気ヘッドコア２３に直接接触しているため、磁気ヘッドの磁気特性に影響を与えない方が磁気ヘッド２０の設計が容易である。この点を考慮すれば、第２の弾性部材３１の材質は非磁性材料であることが望ましい。
【００４９】
そして、磁気ヘッドコア２３の発熱を効果的に伝達し、温度上昇を防止するという意味では、第２の弾性部材３１の材質は非磁性であり、かつ熱伝導率の高い材質、たとえばＣｕやＡｌを主成分とした合金材料を用いたり、カーボンを主成分とした材料を用いることが効果的である。
【００５０】
（実施の形態２）
（構成）
図４に、第２の弾性部材３１を第１の弾性部材２８とは別の部品を用いて第１の弾性部材２８に取り付けた例を示す。この取付け方法にはスポット溶接や接着などが考えられる。他の部分の構成については、実施の形態１におけるものと同じである。
【００５１】
（作用・効果）
実施の形態１における構成においては、第１の弾性部材２８と第２の弾性部材３１の押圧位置が異なるため、磁気ヘッドユニット２７が正しい姿勢を維持するためには、第１の弾性部材２８と第２の弾性部材３１との荷重のバランスをとる必要がある。しかし、第１の弾性部材２８および第２の弾性部材３１は同一の部材から一体のものとして形成しているため、板厚に差をつけることは困難であり、押圧位置や長さによって荷重のバランスをとる必要があった。
【００５２】
これに対して、本実施の形態においては、第１の弾性部材２８と第２の弾性部材３１とは、それぞれの弾性部材に適した材質や板厚などを別個独立に選択することができるため、設計の自由度が増し、荷重のバランスをとることが容易となる。その結果として、より特性の向上した磁気ヘッド支持機構を提供することができる。
【００５３】
（実施の形態３）
（構成）
従来技術においては、ディスク上の異物などに摺動部２６が衝突し、または乗り上げた際には、磁気ヘッドユニット２７の端部３３が光磁気ディスク６０と衝突し光磁気ディスク６０に損傷を与えてしまう危険があり、実施の形態１，２においては、その危険は低減されているが、完全に解消されたわけではない。そこで、そのような損傷を防止するために、補助摺動部（第２の摺動部）３２を設けた例を図５、図６に示す。摺動部２６と補助摺動部３２とは、磁気ヘッドユニット２７の重心位置をはさむように摺動方向に沿って配置されている。他の部分の構成については、実施の形態１または２におけるものと同じである。
【００５４】
（作用・効果）
図６に示すように補助摺動部３２があることによって、端部３３のディスク面への衝突のおそれはなくなる。また、磁気ヘッドユニット２７が異物７０に衝突し、または乗り上げた場合には、図７に示すように磁気ヘッドユニット２７が上下に振動するが、第２の弾性部材３１による下向きの荷重が作用するため、振動の振幅は小さくなり、距離が広がることによる磁界強度低下の問題も軽減することができる。また、磁気ヘッドスライダー部２５の材料と比較して熱伝導率の高い第２の弾性部材３１を直接接触させているために効率良く熱を第２の弾性部材３１に放熱することができる。
【００５５】
さらに本実施の形態においては、補助摺動部３２が存在するため、第２の弾性部材３１による磁気ヘッドコア２３に対する押圧位置を、磁気ヘッドユニット２７の重心位置よりも補助摺動部３２側にとることが可能となる。なぜなら、補助摺動部３２によって磁気ヘッドユニット２７の後端が支持されているため、第２の弾性部材３１による下向き荷重によって後端が下がるおそれがないからである。第２の弾性部材３１による押圧位置を磁気ヘッドユニット２７の重心位置よりも補助摺動部３２側にとることにより、異物７０との衝突によって後端が跳ね上がるいわゆる飛び跳ね量を第２の弾性部材３１が抑制しようとするモーメントはより大きくなり、振動振幅をより効果的に低減することができる。
【００５６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００５７】
【発明の効果】
磁気ヘッドユニットがディスク上の異物に衝突し、または乗り上げた場合においても、磁気ヘッドユニットの上下方向の振動振幅を低減することができるため、磁気ヘッドユニットの端部のディスク面への衝突や、ディスク面から離れることによる磁界強度低下の問題を生じにくくすることができる。また、第２の弾性部材は磁気ヘッドコアに付勢しているため、磁気ヘッドコアからの放熱を効率良く行なうことができる。
【図面の簡単な説明】
【図１】本発明に基づく実施の形態１における磁気ヘッド支持機構の、（ａ）は平面図、（ｂ）は側面図である。
【図２】本発明に基づく実施の形態１における磁気ヘッド支持機構の磁気ヘッドユニット近傍を拡大した側面図である。
【図３】本発明に基づく実施の形態１における磁気ヘッド支持機構の磁気ヘッドユニットが異物に衝突した状況の説明図である。
【図４】本発明に基づく実施の形態２における磁気ヘッド支持機構の平面図である。
【図５】本発明に基づく実施の形態３における磁気ヘッド支持機構の側面図である。
【図６】本発明に基づく実施の形態３における磁気ヘッド支持機構の磁気ヘッドユニット近傍を拡大した側面図である。
【図７】本発明に基づく実施の形態３における磁気ヘッド支持機構の磁気ヘッドユニットが異物に衝突した状況の説明図である。
【図８】光磁気ディスクの断面図である。
【図９】磁気ヘッドの断面図である。
【図１０】従来技術に基づく磁気ヘッドユニットの断面図である。
【図１１】従来技術に基づく光学ピックアップおよび磁気ヘッド支持機構の配置の、（ａ）は平面図、（ｂ）は側面図である。
【図１２】従来技術に基づく磁気ヘッド支持機構の磁気ヘッドユニット近傍を拡大した側面図である。
【図１３】従来技術に基づく磁気ヘッド支持機構の磁気ヘッドユニットが異物に衝突した状況の説明図である。
【図１４】特許番号２８７８９１８号で提案された機構の、（ａ）は平面図、（ｂ）は側面図である。
【符号の説明】
１０ａ，１０ｂ，１０ｃ  板ばね、１１ａ，１１ｂ  摺動部、１２  磁気ヘッド部の重心、１３，２０  磁気ヘッド、２１  コイル、２２  ボビン、２３  磁気ヘッドコア、２５  磁気ヘッドスライダー部、２６  摺動部、２７  磁気ヘッドユニット、２８  弾性部材（第１の弾性部材）、２９  固定部、３０  磁気ヘッドアーム、３１  第２の弾性部材、３２  補助摺動部（第２の摺動部）、３３磁気ヘッドユニット端部、３４  箱曲げ加工した部分、３５  中心線、５０  光ピックアップ、６０  光磁気ディスク、６１  光磁気ディスク基板、６２  保護膜、６３  光磁気記録層、６４  反射膜、６５  樹脂保護膜、６６  潤滑膜、６７  ディスクカートリッジ、７０  異物。
【図１】
0003549793.tif 000002
【図２】
0003549793.tif 000003
【図３】
0003549793.tif 000004
【図４】
0003549793.tif 000005
【図５】
0003549793.tif 000006
【図６】
0003549793.tif 000007
【図７】
0003549793.tif 000008
【図８】
0003549793.tif 000009
【図９】
0003549793.tif 000010
【図１０】
0003549793.tif 000011
【図１１】
0003549793.tif 000012
【図１２】
0003549793.tif 000013
【図１３】
0003549793.tif 000014
【図１４】
0003549793.tif 000015